(57)【要約】【課題】棚板の取付スペースを容易に確保することができ、かつ優れた装飾性を付与することができるブラケット構造を提供する。【解決手段】ブラケット構造１は、棚板１０と、棚板１０を支持する棚板用ブラケット２０と、棚板用ブラケット２０と嵌合されており、カーテンポール４０を支持するカーテンポール用ブラケット３０とを備えている。カーテンポール用ブラケット３０は、ブラケット固定ねじ５０が挿通されてカーテンポール用ブラケット３０を壁Ｗに固定するためのブラケット固定孔３１を備えている。棚板用ブラケット２０は、ブラケット固定ねじ５０が挿通されて棚板用ブラケット２０を壁Ｗに固定するための挿通孔２１を備えている。棚板用ブラケット２０及びカーテンポール用ブラケット３０は、ブラケット固定ねじ５０が挿通孔２１及びブラケット固定孔３１に挿通されて共締めされている。【選択図】図３
2020188911.tif 000002
【特許請求の範囲】
【請求項１】
棚板と、
前記棚板を支持する棚板用ブラケットと、
前記棚板用ブラケットと嵌合されており、カーテンポールを支持するカーテンポール用ブラケットと
を備え、
前記カーテンポール用ブラケットは、ブラケット固定ねじが挿通されて前記カーテンポール用ブラケットを壁に固定するためのブラケット固定孔を備え、
前記棚板用ブラケットは、前記ブラケット固定ねじが挿通されて前記棚板用ブラケットを前記壁に固定するための挿通孔を備え、
前記棚板用ブラケット及び前記カーテンポール用ブラケットは、前記ブラケット固定ねじが前記挿通孔及び前記ブラケット固定孔に挿通されて共締めされていることを特徴とするブラケット構造。
【請求項２】
前記カーテンポール用ブラケットは、前記壁に取り付けられるカーテンポール用ブラケット基部と、前記カーテンポール用ブラケット基部から前記壁と離れる方向に延びる支持腕と、前記支持腕の先端に形成されており、前記カーテンポールを支持するカーテンポール支持部とを備え、
前記棚板用ブラケットは、前記壁に取り付けられる棚板用ブラケット基部と、前記棚板用ブラケット基部の一方側から前記壁と離れる方向に延びて前記棚板を支持する棚板支持部と、前記棚板用ブラケット基部の他方側から前記棚板支持部と対向して延びており、前記カーテンポール用ブラケットの前記支持腕と当接する支持腕当接部と、前記棚板用ブラケット基部の壁側の面である壁側面から前記壁と離れる方向に凹む段部とを備え、
前記カーテンポール用ブラケット基部は、前記棚板用ブラケット基部の前記段部に嵌合されていることを特徴とする請求項１記載のブラケット構造。
【請求項３】
前記棚板用ブラケットの前記挿通孔は、前記棚板用ブラケット基部の他端部から一方側に向かって延びる棚板用ブラケット基部長孔と、前記棚板用ブラケット基部長孔と連通しており、前記支持腕当接部の壁側端部からカーテンポール側に向かって延びる支持腕当接部長孔とを備え、
前記棚板用ブラケット基部長孔は、前記棚板用ブラケット基部のカーテンポール側の面であるカーテンポール側面から前記壁と近づく方向に凹む長孔段部を備え、
前記ブラケット固定ねじのねじ頭は、前記棚板用ブラケット基部長孔の前記長孔段部に収容されていることを特徴とする請求項２記載のブラケット構造。
【請求項４】
前記支持腕当接部の他方側の面であるカーテンポール用ブラケット側面は、該カーテンポール用ブラケット側面から他方側に突出する凸部を備え、
前記支持腕の一方側の面である支持腕当接部側面は、前記支持腕当接部の前記凸部に対応する位置に前記支持腕当接部側面から他方側に凹む凹部を備え、
前記支持腕当接部の前記凸部は、前記支持腕の前記凹部に嵌合されていることを特徴とする請求項２又は３記載のブラケット構造。
【請求項５】
前記棚板用ブラケットの前記棚板支持部は、該棚板支持部の先端に形成されており、棚板固定ねじが挿通されて前記棚板を前記棚板用ブラケットに固定するための棚板固定孔を備え、
前記棚板の他方側の面である棚板用ブラケット側面は、前記カーテンポールの延び方向に延びており、前記棚板固定ねじと螺合するねじ溝を備え、
前記棚板は、前記棚板固定ねじが前記棚板固定孔に挿通されて前記ねじ溝に螺合されて前記棚板用ブラケットに固定されていることを特徴とする請求項２乃至４のいずれか１項記載のブラケット構造。
【請求項６】
前記棚板用ブラケットの前記棚板支持部は、該棚板支持部の先端に形成されており、複数の棚板固定ねじが挿通されて複数の前記棚板を固定するためのジョイント部材を備えていることを特徴とする請求項２乃至４のいずれか１項記載のブラケット構造。
【発明の詳細な説明】
【技術分野】
【０００１】
本発明は、ブラケット構造に関する。
【背景技術】
【０００２】
従来から、例えば、壁等に基部が固定された支持腕の先端に水平なカーテンポールを支持する受部が形成されたカーテンポール用ブラケットが広く知られている（例えば、特許文献１参照。）。また、例えば、ブラケット構造として、物干し竿を支持する部分、棚板を支持する部分、カーテンレールを支持する部分が設けられたブラケット受け具本体が、本体取付け受部を有する壁面用支持取付け板と分けられて構成されており、一体に組み付けられて壁に固定可能に形成したブラケット構造が開示されている（例えば、特許文献２参照。）。
【先行技術文献】
【特許文献】
【０００３】
【特許文献１】特開２００７−１５２００９号公報
【特許文献２】特開２００２−２１０２９６号公報
【発明の概要】
【発明が解決しようとする課題】
【０００４】
しかしながら、カーテンポール用ブラケットを壁に取り付けた後に、カーテンポール用ブラケットの上側に更に棚板を取り付ける場合には、カーテンポール用ブラケットとは独立したＬ字状ブラケット等を追加して棚板を取り付ける。このため、カーテンポール用ブラケットとは別にＬ字状ブラケット等を取り付けることとなるので、カーテンポール用ブラケットと天井との間に棚板を取り付ける取付スペースを確保することができないおそれがある。
【０００５】
また、カーテンポール用ブラケットとＬ字状ブラケット及び棚板とが別々に取り付けられるため、カーテンポール用ブラケットと棚板との一体感がなくなることとなる。このように、従来のブラケット構造に対しては、棚板の取付スペースを容易に確保することができ、かつ優れた装飾性を付与することができる構造が求められていた。
【０００６】
本発明は、上述の課題に鑑みてなされたものであり、その目的は、棚板の取付スペースを容易に確保することができ、かつ優れた装飾性を付与することができるブラケット構造を提供することにある。
【課題を解決するための手段】
【０００７】
本発明の一態様に係るブラケット構造は、棚板と、前記棚板を支持する棚板用ブラケットと、前記棚板用ブラケットと嵌合されており、カーテンポールを支持するカーテンポール用ブラケットとを備え、前記カーテンポール用ブラケットは、ブラケット固定ねじが挿通されて前記カーテンポール用ブラケットを壁に固定するためのブラケット固定孔を備え、前記棚板用ブラケットは、前記ブラケット固定ねじが挿通されて前記棚板用ブラケットを前記壁に固定するための挿通孔を備え、前記棚板用ブラケット及び前記カーテンポール用ブラケットは、前記ブラケット固定ねじが前記挿通孔及び前記ブラケット固定孔に挿通されて共締めされていることを特徴とする。
【０００８】
本発明の一態様に係るブラケット構造において、前記カーテンポール用ブラケットは、前記壁に取り付けられるカーテンポール用ブラケット基部と、前記カーテンポール用ブラケット基部から前記壁と離れる方向に延びる支持腕と、前記支持腕の先端に形成されており、前記カーテンポールを支持するカーテンポール支持部とを備え、前記棚板用ブラケットは、前記壁に取り付けられる棚板用ブラケット基部と、前記棚板用ブラケット基部の一方側から前記壁と離れる方向に延びて前記棚板を支持する棚板支持部と、前記棚板用ブラケット基部の他方側から前記棚板支持部と対向して延びており、前記カーテンポール用ブラケットの前記支持腕と当接する支持腕当接部と、前記棚板用ブラケット基部の壁側の面である壁側面から前記壁と離れる方向に凹む段部とを備え、前記カーテンポール用ブラケット基部は、前記棚板用ブラケット基部の前記段部に嵌合されている。
【０００９】
本発明の一態様に係るブラケット構造において、前記棚板用ブラケットの前記挿通孔は、前記棚板用ブラケット基部の他端部から一方側に向かって延びる棚板用ブラケット基部長孔と、前記棚板用ブラケット基部長孔と連通しており、前記支持腕当接部の壁側端部からカーテンポール側に向かって延びる支持腕当接部長孔とを備え、前記棚板用ブラケット基部長孔は、前記棚板用ブラケット基部のカーテンポール側の面であるカーテンポール側面から前記壁と近づく方向に凹む長孔段部を備え、前記ブラケット固定ねじのねじ頭は、前記棚板用ブラケット基部長孔の前記長孔段部に収容されている。
【００１０】
本発明の一態様に係るブラケット構造において、前記支持腕当接部の他方側の面であるカーテンポール用ブラケット側面は、該カーテンポール用ブラケット側面から他方側に突出する凸部を備え、前記支持腕の一方側の面である支持腕当接部側面は、前記支持腕当接部の前記凸部に対応する位置に前記支持腕当接部側面から他方側に凹む凹部を備え、前記支持腕当接部の前記凸部は、前記支持腕の前記凹部に嵌合されている。
【００１１】
本発明の一態様に係るブラケット構造において、前記棚板用ブラケットの前記棚板支持部は、該棚板支持部の先端に形成されており、棚板固定ねじが挿通されて前記棚板を前記棚板用ブラケットに固定するための棚板固定孔を備え、前記棚板の他方側の面である棚板用ブラケット側面は、前記カーテンポールの延び方向に延びており、前記棚板固定ねじと螺合するねじ溝を備え、前記棚板は、前記棚板固定ねじが前記棚板固定孔に挿通されて前記ねじ溝に螺合されて前記棚板用ブラケットに固定されている。
【００１２】
本発明の一態様に係るブラケット構造において、前記棚板用ブラケットの前記棚板支持部は、該棚板支持部の先端に形成されており、複数の棚板固定ねじが挿通されて複数の前記棚板を固定するためのジョイント部材を備えている。
【発明の効果】
【００１３】
本発明に係るブラケット構造によれば、棚板の取付スペースを容易に確保することができ、かつ優れた装飾性を付与することができる。
【図面の簡単な説明】
【００１４】
【図１】本発明の実施の形態に係るブラケット構造を上側から見た場合を概略的に示す斜視図である。
【図２】本発明の実施の形態に係るブラケット構造を下側から見た場合を概略的に示す斜視図である。
【図３】本発明の実施の形態に係るブラケット構造を概略的に示す側面図である。
【図４】本発明の実施の形態に係るブラケット構造を概略的に示す分解斜視図である。
【図５】本発明の実施の形態に係るブラケット構造を概略的に示すＡ−Ａ部分断面図である。
【図６】本発明の実施の形態に係るブラケット構造を概略的に示すＢ−Ｂ部分断面図である。
【図７】本発明の実施の形態に係るブラケット構造の棚板を上側から見た場合を概略的に示す斜視図である。
【図８】本発明の実施の形態に係るブラケット構造の棚板を下側から見た場合を概略的に示す斜視図である。
【図９】本発明の実施の形態に係るブラケット構造の棚板用ブラケットを上側から見た場合を概略的に示す斜視図である。
【図１０】本発明の実施の形態に係るブラケット構造の棚板用ブラケットを下側から見た場合を概略的に示す斜視図である。
【図１１】本発明の実施の形態に係るブラケット構造の棚板用ブラケットを下側から見た場合を概略的に示す斜視図である。
【図１２】本発明の実施の形態に係るブラケット構造のカーテンポール用ブラケットを概略的に示す斜視図である。
【図１３】本発明の実施の形態に係るブラケット構造の棚板用ブラケット及びカーテンポール用ブラケットを壁に取り付ける取付方法を説明するための図である。
【図１４】本発明の実施の形態に係るブラケット構造の棚板を棚板用ブラケットに取り付ける取付方法を説明するための図である。
【図１５】本発明の実施の形態に係るブラケット構造の変形例を下側から見た場合を概略的に示す斜視図である。
【発明を実施するための形態】
【００１５】
以下、本発明の実施の形態について図面を参照しながら説明する。
【００１６】
図１は、本発明の実施の形態に係るブラケット構造１を上側から見た場合を概略的に示す斜視図であり、図２は、ブラケット構造１を下側から見た場合を概略的に示す斜視図である。図３は、ブラケット構造１を概略的に示す側面図であり、図４は、ブラケット構造１を概略的に示す分解斜視図である。図５は、ブラケット構造１を概略的に示すＡ−Ａ部分断面図であり、図６は、ブラケット構造１を概略的に示すＢ−Ｂ部分断面図である。
【００１７】
以下、説明の便宜上、図１におけるブラケット構造１の高さ方向における一方側（矢印ａ方向）を上側とし、他方側（矢印ｂ方向）を下側とする。また、図１におけるブラケット構造１の高さ方向に直交して延在する幅方向における一方側（矢印ｃ方向）を右側とし、他方側（矢印ｄ方向）を左側とする。また、図１におけるブラケット構造１の高さ方向及び幅方向に直交して延在する奥行方向における一方側（矢印ｅ方向）を前側とし、他方側（矢印ｆ方向）を後側とする。
【００１８】
本発明の実施の形態に係るブラケット構造１は、棚板１０と、棚板１０を支持する棚板用ブラケット２０と、棚板用ブラケット２０と嵌合されており、カーテンポール４０を支持するカーテンポール用ブラケット３０とを備えている。カーテンポール用ブラケット３０は、ブラケット固定ねじ５０が挿通されてカーテンポール用ブラケット３０を壁Ｗ（図３）に固定するためのブラケット固定孔３１を備えている。
【００１９】
棚板用ブラケット２０は、ブラケット固定ねじ５０が挿通されて棚板用ブラケット２０を壁Ｗに固定するための挿通孔２１を備えている。棚板用ブラケット２０及びカーテンポール用ブラケット３０は、ブラケット固定ねじ５０が挿通孔２１及びブラケット固定孔３１に挿通されて共締めされている。以下、ブラケット構造１の構成について具体的に説明する。
【００２０】
ブラケット構造１は、例えば窓枠（図示せず）と天井（図示せず）との間の壁Ｗ（図３）に取り付けられて配置されている。ブラケット構造１は、カーテンポール４０のカーテンランナ４１にカーテン（図示せず）を吊り下げることができるようになっている。また、ブラケット構造１は、棚板１０の上側に種々の物を収納することができるようになっている。
【００２１】
図７は、本発明の実施の形態に係るブラケット構造１の棚板１０を上側から見た場合を概略的に示す斜視図であり、図８は、ブラケット構造１の棚板１０を下側から見た場合を概略的に示す斜視図である。ブラケット構造１において、棚板１０の他方側（下側）の面である棚板用ブラケット側面１０ｂは、カーテンポール４０の延び方向（幅方向）に延びており、棚板固定ねじ６０と螺合するねじ溝１２を備えている。
【００２２】
具体的に、ブラケット構造１において、棚板１０は、図１〜図８に示すように、外形が矩形板状又は略矩形板状に形成されており、幅方向に延びている。棚板１０の幅方向における長さは、例えば窓枠（図示せず）の幅方向における長さと同じ又は略同じ長さとなっている。棚板１０は、例えば鋼板等の金属板を所定の形状に切断した後に折曲げることにより一体的かつ中空に形成されている。なお、棚板１０は、アルミ、樹脂、木材等により形成されていてもよい。
【００２３】
棚板１０は、棚板１０の上側の面である上側面１０ａと、棚板１０の下側の面である棚板用ブラケット側面１０ｂとを有している。棚板１０の上側面１０ａには、後側において幅方向に各々平行又は略平行に延びる複数の溝部１１が形成されている。複数の溝部１１は、各々、上側面１０ａから下側に凹んでおり、側面視半円状又は略半円状に形成されている。また、棚板１０の棚板用ブラケット側面１０ｂには、前側において幅方向に延びるねじ溝１２が形成されている。
【００２４】
ねじ溝１２は、棚板用ブラケット側面１０ｂから上側に凹んでおり、側面視矩形状又は略矩形状に形成されている。棚板固定ねじ６０は、棚板用ブラケット２０の棚板固定孔２３ｃ（後述）に挿通されてねじ溝１２に螺合して、棚板１０を棚板用ブラケット２０に固定するようになっている。ねじ溝１２の奥行方向における長さ（ねじ溝１２の幅）は、棚板固定ねじ６０のねじ部６２（図３）が螺合可能な幅となっており、ねじ溝１２は、ねじ溝１２のいずれの位置においても棚板固定ねじ６０を螺合可能となっている。
【００２５】
図９は、本発明の実施の形態に係るブラケット構造１の棚板用ブラケット２０を上側から見た場合を概略的に示す斜視図であり、図１０，図１１は、ブラケット構造１の棚板用ブラケット２０を下側から見た場合を概略的に示す斜視図である。ブラケット構造１において、棚板用ブラケット２０は、壁Ｗに取り付けられる棚板用ブラケット基部２２と、棚板用ブラケット基部２２の一方側（上側）から壁Ｗと離れる方向（前側）に延びて棚板１０を支持する棚板支持部２３とを備えている。また、棚板用ブラケット２０は、棚板用ブラケット基部２２の他方側（下側）から棚板支持部２３と対向して延びており、カーテンポール用ブラケット３０の支持腕３３（後述）と当接する支持腕当接部２４を備えている。
【００２６】
具体的に、ブラケット構造１において、棚板用ブラケット２０は、図１〜図６及び図９〜図１１に示すように、外形がＪ字状又は略Ｊ字状に形成されており、棚板支持部２３及び支持腕当接部２４が棚板用ブラケット基部２２から前側に延びている。棚板用ブラケット２０は、例えば亜鉛ダイキャストなどにより形成されている。
【００２７】
棚板用ブラケット基部２２は、外形が直方体形状又は略直方体形状に形成され、高さ方向に延びる部分であり、壁Ｗ（図３）に取り付けられるようになっている。棚板用ブラケット基部２２は、壁Ｗに対向しており、壁Ｗに取り付けられる壁側の面である壁側面２２ｆと、壁側面２２ｆと背向しており、カーテンポール４０が取り付けられるカーテンポール側の面であるカーテンポール側面２２ｅとを有している。
【００２８】
棚板支持部２３は、棚板用ブラケット基部２２の上側において、棚板用ブラケット基部２２のカーテンポール側面２２ｅから前側に延びる矩形板状又は略矩形板状に形成された部分であり、棚板１０を支持するようになっている。棚板支持部２３は、棚板１０と対向しており、棚板１０に取り付けられる棚板側の面である棚板側面２３ａと、支持腕当接部２４と対向する棚板支持部２３の下側の面である下側面２３ｂとを有している。棚板支持部２３の幅方向における長さは、棚板用ブラケット基部２２の幅方向における長さと同じ又は略同じ長さとなっている。
【００２９】
また、棚板支持部２３は、棚板支持部２３の先端（前側端部）に形成されており、棚板固定ねじ６０が挿通されて棚板１０を棚板用ブラケット２０に固定するための棚板固定孔２３ｃを備えている。棚板固定孔２３ｃは、棚板支持部２３の前側端部に形成されており、棚板支持部２３の棚板側面２３ａと下側面２３ｂとの間を貫通する円筒状又は略円筒状の孔である。また、棚板固定孔２３ｃは、棚板支持部２３の下側面２３ｂから上側に凹む棚板固定孔段部２３ｄ（図１０）を有している。棚板固定孔段部２３ｄは、棚板固定孔２３ｃよりも大きな直径を有しており、棚板固定孔２３ｃと同軸又は略同軸に形成された円筒状又は略円筒状の部分であり、棚板固定ねじ６０のねじ頭６１を収容可能となっている。
【００３０】
支持腕当接部２４は、棚板用ブラケット基部２２の下側において、棚板用ブラケット基部２２のカーテンポール側面２２ｅから前側に延びる矩形板状又は略矩形板状に形成された部分であり、カーテンポール用ブラケット３０の支持腕３３（後述）と当接するようになっている。支持腕当接部２４は、棚板支持部２３と対向する支持腕当接部２４の上側の面である棚板支持部側面２４ａと、カーテンポール用ブラケット３０の支持腕３３（後述）と対向しており、支持腕３３（後述）と当接する面であるカーテンポール用ブラケット側面２４ｂとを有している。
【００３１】
支持腕当接部２４の奥行方向における長さは、棚板支持部２３の奥行方向における長さよりも小さくなっている。支持腕当接部２４の幅方向における長さは、棚板用ブラケット基部２２及び棚板支持部２３の幅方向における長さと同じ又は略同じ長さとなっている。また、支持腕当接部２４の高さ方向における厚さは、棚板支持部２３の高さ方向における厚さよりも薄くなっており、支持腕当接部２４を薄肉にすることでブラケット構造１全体の厚さを薄くすることができるようになっている。
【００３２】
かかる構成に加えて、棚板用ブラケット２０は、図９〜図１１に示すように、棚板用ブラケット基部２２の壁側（後側）の面である壁側面２２ｆから壁Ｗと離れる方向（前側）に凹む段部２５を備えている。また、カーテンポール用ブラケット３０のカーテンポール用ブラケット基部３２（後述）は、棚板用ブラケット基部２２の段部２５に嵌合されている。具体的に、段部２５は、棚板用ブラケット基部２２の壁側面２２ｆから下側に向かうにつれて前側に延びる矩形状又は略矩形状の傾斜面２５ａと、傾斜面２５ａの下側の縁から高さ方向に沿って棚板用ブラケット基部２２の下側端部まで延びる矩形状又は略矩形状の段差面２５ｂとを有している。
【００３３】
また、棚板用ブラケット２０の挿通孔２１は、棚板用ブラケット基部２２の他端部（下側端部）から一方側（上側）に向かって延びる棚板用ブラケット基部長孔２１ａと、棚板用ブラケット基部長孔２１ａと連通しており、支持腕当接部２４の壁側端部（後側端部）からカーテンポール側（前側）に向かって延びる支持腕当接部長孔２１ｂとを備えている。また、棚板用ブラケット基部長孔２１ａは、棚板用ブラケット基部２２のカーテンポール側（前側）の面であるカーテンポール側面２２ｅから壁Ｗと近づく方向（後側）に凹む長孔段部２１ｃを備えている。ブラケット固定ねじ５０のねじ頭５１は、棚板用ブラケット基部長孔２１ａの長孔段部２１ｃに収容されている（図５）。
【００３４】
具体的に、棚板用ブラケット基部長孔２１ａは、段部２５の段差面２５ｂの下側端部から上側に向かって延びており、棚板用ブラケット基部２２の段部２５の段差面２５ｂとカーテンポール側面２２ｅとの間を貫通する長円筒状又は略長円筒状の孔である。棚板用ブラケット基部長孔２１ａの幅方向における長さ（棚板用ブラケット基部長孔２１ａの幅）は、ブラケット固定ねじ５０のねじ部５２の幅よりも大きくなっており、棚板用ブラケット基部長孔２１ａは、ブラケット固定ねじ５０のねじ部５２を挿通可能となっている。
【００３５】
支持腕当接部長孔２１ｂは、棚板用ブラケット基部長孔２１ａと連通しており、支持腕当接部２４の後側端部から前側に向かって延びており、支持腕当接部２４の棚板支持部側面２４ａとカーテンポール用ブラケット側面２４ｂとの間を貫通する半長円筒状又は略半長円筒状の孔である。支持腕当接部長孔２１ｂの幅方向における長さ（支持腕当接部長孔２１ｂの幅）は、棚板用ブラケット基部長孔２１ａの幅方向における長さよりも大きくなっており、また、ブラケット固定ねじ５０のねじ頭５１の幅よりも大きくなっている。支持腕当接部長孔２１ｂは、ブラケット固定ねじ５０のねじ頭５１を挿通可能となっている。
【００３６】
長孔段部２１ｃは、棚板用ブラケット基部長孔２１ａよりも大きな径を有しており、棚板用ブラケット基部長孔２１ａと同軸又は略同軸に形成された長円筒状又は略長円筒状の部分であり、ブラケット固定ねじ５０のねじ頭５１を収容可能となっている。長孔段部２１ｃの幅方向における長さ（長孔段部２１ｃの幅）は、支持腕当接部長孔２１ｂの幅方向における長さ（支持腕当接部長孔２１ｂの幅）と同じ又は略同じ幅となっており、長孔段部２１ｃがブラケット固定ねじ５０のねじ頭５１に当接されてブラケット固定ねじ５０が締結されるようになっている。
【００３７】
また、支持腕当接部２４の他方側（下側）の面であるカーテンポール用ブラケット側面２４ｂは、カーテンポール用ブラケット側面２４ｂから他方側（下側）に突出する凸部２６を備えている。具体的に、凸部２６は、カーテンポール用ブラケット側面２４ｂにおいて、支持腕当接部長孔２１ｂの幅方向における両側に配置された円筒状又は略円筒状の２つの突起である。
【００３８】
図１２は、本発明の実施の形態に係るブラケット構造１のカーテンポール用ブラケット３０を概略的に示す斜視図である。ブラケット構造１において、カーテンポール用ブラケット３０は、壁Ｗに取り付けられるカーテンポール用ブラケット基部３２と、カーテンポール用ブラケット基部３２から壁Ｗと離れる方向（前側）に延びる支持腕３３と、支持腕３３の先端（前側端部）に形成されており、カーテンポール４０を支持するカーテンポール支持部３４とを備えている。
【００３９】
具体的に、ブラケット構造１において、カーテンポール用ブラケット３０は、図１〜図６及び図１２に示すように、外形がＴ字状又は略Ｔ字状に形成されており、支持腕３３がカーテンポール用ブラケット基部３２から前側に延びている。カーテンポール用ブラケット３０は、例えば金属ダイキャスト、金属プレス加工などにより形成されている。
【００４０】
カーテンポール用ブラケット基部３２は、外形が四角錐台形状又は略四角錐台形状に形成され、高さ方向に延びる部分であり、壁Ｗ（図３）に取り付けられるようになっている。カーテンポール用ブラケット基部３２は、壁Ｗに対向しており、壁Ｗに取り付けられる壁側の面である壁側面３２ｆと、壁側面３２ｆと背向しており、カーテンポール４０が取り付けられるカーテンポール側の面であるカーテンポール側面３２ｅとを有している。また、カーテンポール用ブラケット基部３２は、カーテンポール側面３２ｅの縁から後側に向かうにつれて外側に斜めに延びて壁側面３２ｆに連結する傾斜面３２ｇを有している。
【００４１】
支持腕３３は、カーテンポール用ブラケット基部３２のカーテンポール側面３２ｅの高さ方向における中央部分において、カーテンポール側面３２ｅから前側に延びる直方体形状又は略直方体形状に形成された部分であり、支持腕３３の前側端部にカーテンポール支持部３４を有している。支持腕３３は、棚板用ブラケット２０の支持腕当接部２４と対向しており、支持腕当接部２４と当接する面である支持腕当接部側面３３ａと、支持腕３３の下側の面である下側面３３ｂとを有している。
【００４２】
カーテンポール支持部３４は、カーテンポール４０の曲率半径と同じ又は略同じ曲率半径を有しており、上側が開口している半円筒状又は略半円筒状のカーテンポール受部３４ａと、カーテンポール受部３４ａに取り付けられたカーテンポール４０を前側に押圧することでカーテンポール４０をカーテンポール受部３４ａに固定するカーテンポール固定部３４ｂとを有している。
【００４３】
また、カーテンポール用ブラケット３０は、ブラケット固定ねじ５０が挿通されてカーテンポール用ブラケット３０を壁Ｗに固定するためのブラケット固定孔３１を備えている。具体的に、ブラケット固定孔３１は、棚板用ブラケット２０の挿通孔２１の棚板用ブラケット基部長孔２１ａと対向しており、挿通孔２１の棚板用ブラケット基部長孔２１ａに対応する位置に配置されている。
【００４４】
ブラケット固定孔３１は、カーテンポール用ブラケット基部３２において支持腕３３の上側に形成されており、カーテンポール用ブラケット基部３２の壁側面３２ｆとカーテンポール側面３２ｅとの間を貫通する円筒状又は略円筒状の孔である。また、ブラケット固定孔３１は、ブラケット固定孔３１のカーテンポール側面３２ｅから後側に凹むブラケット固定孔段部３１ａを有している。ブラケット固定孔段部３１ａは、ブラケット固定孔３１よりも大きな直径を有しており、ブラケット固定孔３１と同軸又は略同軸に形成された円筒状又は略円筒状の部分であり、ブラケット固定ねじ５０のねじ頭５１を収容可能となっている。
【００４５】
また、支持腕３３の一方側（上側）の面である支持腕当接部側面３３ａは、棚板用ブラケット２０の支持腕当接部２４の凸部２６に対応する位置に支持腕当接部側面３３ａから他方側（下側）に凹む凹部３５を備えている。具体的に、凹部３５は、棚板用ブラケット２０の支持腕当接部２４の凸部２６に対応する位置において対向しており、支持腕当接部側面３３ａの後側の根元部分において幅方向に離れて配置された円筒状又は略円筒状の２つの凹みであり、凸部２６と嵌合可能となっている。
【００４６】
カーテンポール４０は、図１〜図６に示すように、外形が円筒棒状又は略円筒棒状に形成されており、幅方向に延びている。カーテンポール４０の幅方向における長さは、例えば窓枠（図示せず）の幅方向における長さと同じ又は略同じ長さとなっている。カーテンポール４０は、例えば鋼等の金属パイプにより形成されている。カーテンポール４０は、リング状又は略リング状の複数のカーテンランナ４１を幅方向に移動可能に有している。カーテンランナ４１は、下側に突設された吊り具がカーテン（図示せず）のフック（図示せず）と係合して、カーテン（図示せず）を吊り下げることができるようになっている。
【００４７】
続いて、ブラケット構造１の組立状態について説明する。ブラケット構造１において、カーテンポール用ブラケット基部３２は、図１〜図６に示すように、棚板用ブラケット基部２２の段部２５に嵌合されており、支持腕当接部２４の凸部２６は、支持腕３３の凹部３５に嵌合されている。棚板用ブラケット２０及びカーテンポール用ブラケット３０は、ブラケット固定ねじ５０が挿通孔２１及びブラケット固定孔３１に挿通されて共締めされて壁Ｗに固定されている。
【００４８】
また、カーテンポール４０は、カーテンポール用ブラケット３０のカーテンポール支持部３４のカーテンポール受部３４ａに取り付けられ、カーテンポール支持部３４のカーテンポール固定部３４ｂに押圧されてカーテンポール受部３４ａに固定されている。また、棚板１０は、棚板固定ねじ６０が棚板用ブラケット２０の棚板固定孔２３ｃに挿通されてねじ溝１２に螺合されて棚板用ブラケット２０に固定されている。
【００４９】
続いて、ブラケット構造１の取付方法について説明する。図１３は、本発明の実施の形態に係るブラケット構造１の棚板用ブラケット２０及びカーテンポール用ブラケット３０を壁に取り付ける取付方法を説明するための図である。図１４は、ブラケット構造１の棚板１０を棚板用ブラケット２０に取り付ける取付方法を説明するための図である。
【００５０】
カーテンポール４０は、カーテンポール用ブラケット３０のカーテンポール支持部３４のカーテンポール受部３４ａに取り付けられ、カーテンポール支持部３４のカーテンポール固定部３４ｂに押圧されてカーテンポール受部３４ａに固定されている。また、カーテンポール用ブラケット３０は、ブラケット固定ねじ５０がブラケット固定孔３１に挿通されて締結されて壁Ｗに固定されている。ブラケット固定ねじ５０のねじ頭５１は、ブラケット固定孔３１のブラケット固定孔段部３１ａに収納されている。
【００５１】
この状態において、図１３に示すように、棚板１０を追加してカーテンポール用ブラケット３０に取り付けるため、まず、ブラケット固定ねじ５０を緩めてブラケット固定ねじ５０のねじ頭５１をブラケット固定孔３１のブラケット固定孔段部３１ａから露出する。続いて、棚板用ブラケット２０をカーテンポール用ブラケット３０の上側から取り付ける。棚板用ブラケット２０を上側からカーテンポール用ブラケット３０に近づけていくと、ブラケット固定ねじ５０のねじ頭５１が支持腕当接部長孔２１ｂを挿通すると共に、ブラケット固定ねじ５０のねじ部５２が棚板用ブラケット基部長孔２１ａを挿通する。
【００５２】
続いて、棚板用ブラケット２０を更にカーテンポール用ブラケット３０に近づけていくと、カーテンポール用ブラケット基部３２が棚板用ブラケット基部２２の段部２５に嵌合する。すなわち、カーテンポール用ブラケット基部３２の上側のカーテンポール側面３２ｅが段部２５の段差面２５ｂに当接すると共に、カーテンポール用ブラケット基部３２の上側の傾斜面３２ｇが段部２５の傾斜面２５ａに当接する。また、支持腕当接部２４の凸部２６が支持腕３３の凹部３５に嵌合する。
【００５３】
続いて、ブラケット固定ねじ５０を棚板用ブラケット２０の段部２５に締結してブラケット固定ねじ５０を棚板用ブラケット２０及びカーテンポール用ブラケット３０に共締めし、ブラケット固定ねじ５０のねじ頭５１を長孔段部２１ｃに収容する。これにより棚板用ブラケット２０及びカーテンポール用ブラケット３０が壁Ｗに固定される。
【００５４】
続いて、図１４に示すように、棚板１０を棚板用ブラケット２０に近づけて棚板１０の棚板用ブラケット側面１０ｂを棚板用ブラケット２０の棚板支持部２３の棚板側面２３ａに当接する。続いて、棚板固定ねじ６０を棚板用ブラケット２０の棚板固定孔２３ｃに挿通して棚板１０のねじ溝１２に螺合し、棚板１０を棚板用ブラケット２０に固定する。
【００５５】
このようにして、本発明の実施の形態に係るブラケット構造１は、ブラケット固定ねじ５０が挿通孔２１及びブラケット固定孔３１に挿通されて棚板用ブラケット２０及びカーテンポール用ブラケット３０がブラケット固定ねじ５０に共締めされている。このため、カーテンポール用ブラケット３０を壁Ｗに取り付けた後に、カーテンポール用ブラケット３０の上側に更に棚板１０を取り付ける場合であっても、ブラケット構造１の高さ方向の長さを小さくすることができるため、カーテンポール用ブラケット３０と天井（図示せず）との間に棚板１０を取り付ける取付スペースを確保することができる。また、カーテンポール用ブラケット３０と棚板用ブラケット２０及び棚板１０とを一体に取り付けることができるため、ブラケット構造１に優れた装飾性を付与することができる。
【００５６】
また、カーテンポール用ブラケット基部３２が棚板用ブラケット基部２２の段部２５に嵌合されているため、棚板１０の取付スペースを更に容易に確保することができ、かつブラケット構造１に優れた装飾性を付与することができる。また、ブラケット固定ねじ５０のねじ頭５１は、棚板用ブラケット基部長孔２１ａの長孔段部２１ｃに収容されているため、ブラケット固定ねじ５０のねじ頭５１を隠すことができ、ブラケット構造１に優れた装飾性を付与することができる。
【００５７】
また、棚板用ブラケット２０の支持腕当接部２４の凸部２６がカーテンポール用ブラケット３０の支持腕３３の凹部３５に嵌合されているため、棚板用ブラケット２０とカーテンポール用ブラケット３０とを容易に位置合わせすることができる。また、棚板固定ねじ６０が棚板用ブラケット２０の棚板支持部２３の棚板固定孔２３ｃに挿通されて棚板１０のねじ溝１２に螺合されて棚板１０が棚板用ブラケット２０に固定されているため、棚板１０をいずれの位置においても容易に棚板用ブラケット２０に取り付けることができる。
【００５８】
このようにして、本発明の実施の形態に係るブラケット構造１によれば、棚板１０の取付スペースを容易に確保することができ、かつブラケット構造１に優れた装飾性を付与することができる。
【００５９】
以上、本発明の実施の形態について説明したが、本発明は上記実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００６０】
例えば、本発明の実施の形態に係るブラケット構造１においては、棚板固定ねじ６０が棚板支持部２３の棚板固定孔２３ｃに挿通されて棚板１０のねじ溝１２に螺合されて棚板１０が棚板用ブラケット２０に固定された場合を一例に本発明の実施の形態について説明した。しかしながら、本発明はこれに限らず、図１５に示すように、ジョイント部材７０を介して複数の棚板１０を棚板用ブラケット２０に固定するようにしてもよい。
【００６１】
図１５は、本発明の実施の形態に係るブラケット構造１の変形例を下側から見た場合を概略的に示す斜視図である。この場合、ブラケット構造１の変形例においては、棚板支持部２３の棚板固定孔２３ｃに代えて、棚板支持部２３の前側端部にジョイント部材７０が設けられている。すなわち、棚板用ブラケット２０の棚板支持部２３は、棚板支持部２３の先端（前側端部）に形成されており、複数の棚板固定ねじ（左側の棚板固定ねじ６０Ｌ、右側の棚板固定ねじ６０Ｒ）が挿通されて複数の棚板（左側の棚板１０Ｌ、右側の棚板１０Ｒ）を固定するためのジョイント部材７０を備えている。具体的に、ジョイント部材７０は、外形が矩形状又は略矩形状の部材であり、棚板支持部２３の前側端部に固定されている。ジョイント部材７０の幅方向における両側には、棚板固定孔２３ｃが２つ形成されている。
【００６２】
左側の棚板１０Ｌは、左側の棚板固定ねじ６０Ｌがジョイント部材７０の左側の棚板固定孔２３ｃに挿通されて左側の棚板１０Ｌのねじ溝１２に螺合されることで、棚板用ブラケット２０に固定される。また、右側の棚板１０Ｒは、右側の棚板固定ねじ６０Ｒがジョイント部材７０の右側の棚板固定孔２３ｃに挿通されて右側の棚板１０Ｒのねじ溝１２に螺合されることで、棚板用ブラケット２０に固定される。これにより、ブラケット構造１の変形例では、複数の棚板１０を棚板用ブラケット２０に固定することができ、複数の棚板１０を容易につなぐことができる。
【００６３】
また、本発明の実施の形態に係るブラケット構造１においては、棚板１０及び棚板用ブラケット２０を追加してカーテンポール用ブラケット３０に取り付ける場合を一例に本発明の実施の形態について説明した。しかしながら、本発明はこれに限らず、取り付けた棚板１０及び棚板用ブラケット２０を容易に取り外すことができ、再びカーテンポール用ブラケット３０単体で使用することもできる。
【符号の説明】
【００６４】
１…ブラケット構造、１０…棚板、２０…棚板用ブラケット、２１…挿通孔、３０…カーテンポール用ブラケット、３１…ブラケット固定孔、４０…カーテンポール、５０…ブラケット固定ねじ、Ｗ…壁
【図１】
2020188911.tif 000003
【図２】
2020188911.tif 000004
【図３】
2020188911.tif 000005
【図４】
2020188911.tif 000006
【図５】
2020188911.tif 000007
【図６】
2020188911.tif 000008
【図７】
2020188911.tif 000009
【図８】
2020188911.tif 000010
【図９】
2020188911.tif 000011
【図１０】
2020188911.tif 000012
【図１１】
2020188911.tif 000013
【図１２】
2020188911.tif 000014
【図１３】
2020188911.tif 000015
【図１４】
2020188911.tif 000016
【図１５】
2020188911.tif 000017